(57)【要約】本発明は、着物を包装する過程で着物の損傷がなく、包装作業が簡便で、かつ速いだけでなく、同じ空間に複数の包装されたローリング帯を収納する場合にも互いに纏わり付かず、ユーザが安全に使用することができる着物包装用ローリング帯に関するものであって、ローリング帯が非粘着性部材で形成され、ローリング帯の上面に第１粘着部材が付着され、ローリング帯の下面に第２粘着部材が付着され、かつローリング帯の上面上部に着物を置いた状態でローリング帯と共に着物を丸くローリングして第２粘着部材と第１粘着部材とを互いに付着させて着物がくるくると巻かれた形態に固定維持するようにして、第１粘着部材と第２粘着部材が自己粘着性で接着剤無しでこれら同士は互いによく粘着するが、着物に粘着しないので、着物の損傷無しで包装作業を簡便で、かつ速くすることができ、包装された着物がくるくると巻かれた形態に固定維持されるので、着物の体積が圧縮され、皺及び乱れが防止されるだけでなく、携帯が容易な効果がある。【選択図】図３
2017526588.tif 000002
【特許請求の範囲】
【請求項１】
着物と共にローリングして包装する着物包装用ローリング帯において、
前記ローリング帯は非粘着性部材で形成され、
前記ローリング帯の上面両端のうちのいずれかの一側端部に自己粘着性を有する第１粘着部材が付着され、
前記ローリング帯の下面両端のうち、前記第１粘着部材の反対側端部に自己粘着性を有する第２粘着部材が付着され、かつ
前記ローリング帯の上面上部に着物を置いた状態で前記ローリング帯と共に着物を丸くローリングして前記第２粘着部材と前記第１粘着部材とを互いに粘着させて着物がくるくると巻かれた形態に固定維持するようにすることを特徴とする、着物包装用ローリング帯。
【請求項２】
前記第２粘着部材は、前記第１粘着部材より長さが長く形成されることを特徴とする、請求項１に記載の着物包装用ローリング帯。
【請求項３】
着物と共にローリングして包装する着物包装用ローリング帯において、
前記ローリング帯は自己粘着性を有するビニールで形成され、
前記ローリング帯の上面両端のうちのいずれかの一側端部に第１非粘着性部材が付着され、
前記ローリング帯の下面両端のうち、前記第１非粘着性部材の反対側端部に第２非粘着性部材が付着され、かつ
前記第２非粘着性部材と前記第１非粘着性部材は前記ローリング帯で一部の面積を占めるように形成されて、
前記ローリング帯の上面または下面の上部に着物を置いた状態で前記ローリング帯と共に着物を丸くローリングして前記ローリング帯の両端を互いに粘着させて着物がくるくると巻かれた形態に固定維持するようにすることを特徴とする、着物包装用ローリング帯。
【請求項４】
前記第１非粘着性部材は、前記第２非粘着性部材より長さが長く形成されることを特徴とする、請求項３に記載の着物包装用ローリング帯。
【請求項５】
前記ローリング帯の両端のうちのいずれかの一側端部、または両側端部には、前記ローリング帯を掛けて保管できるようにする固定ホールをさらに含むことを特徴とする、請求項１または３に記載の着物包装用ローリング帯。
【発明の詳細な説明】
【技術分野】
【０００１】
本発明は着物包装用ローリング帯に関し、より詳しくは、着物を包装する過程で着物の損傷がなく、包装作業が簡便で、かつ速いだけでなく、同じ空間に複数の包装されたローリング帯を収納する場合にも互いに纏わり付かず、ユーザが安全に使用することができる着物包装用ローリング帯に関する。
【背景技術】
【０００２】
一般に、着物は収納時、体積を縮めるために折り畳んで保管するようになる。この際、保管方法によって収納空間で着物が占める体積が変わる。手で直接着物を折り畳むこともでき、着物を真空袋に入れて保管体積をさらに縮めることもできる。
【０００３】
手で直接着物を折り畳む場合には体積を縮めることに限界があり、真空袋は内部の空気を抜き取るために別途の空気吸入手段を必要とする短所がある。
【０００４】
最近、旅行や外部余暇活動が増加するにつれて、別途の空気吸入手段の必要無しで着物の体積を簡便で、かつ効率良く縮めることができる道具の必要性が増大している。
【０００５】
これと関連して着物の体積を効果的に縮めることができるように包装するビニールカバーに特許文献１の‘着物包装機能を有する多用途ビニールカバー及びその製造方法’が公知されている。前記ビニールカバーは着物をくるくると巻いた後、ベルクロ（登録商標）テープで結束して保管する方式である。
【０００６】
しかしながら、着物を包装したり包装を解いたりする過程で、ベルクロ（登録商標）テープと着物との接触により服地が損傷する危険があり、ベルクロ（登録商標）テープにより着物が損傷する虞によって包装作業が遅れる問題がある。
【０００７】
併せて、多数個のビニールカバーを同じ空間に収納する場合、ベルクロ（登録商標）テープが互いに纏わり付いて剥がすことが困難であり、纏わり付いているビニールカバーを剥がす時、ベルクロ（登録商標）テープによりユーザの皮膚が引っかかれて傷を負う危険がある。
【０００８】
また、ビニールカバーの包装を解く時、ベルクロ（登録商標）テープを剥がすために一定圧力以上の力を持続的に加えなければならないので、多い力が要り、力の弱いユーザは使用が不便であり、ベルクロ（登録商標）テープを剥がす度に騷音が発生してユーザに不快感を与える問題がある。
【先行技術文献】
【特許文献】
【０００９】
【特許文献１】韓国実用新案公開第２０−２００９−０００７４３９号
【発明の概要】
【発明が解決しようとする課題】
【００１０】
本発明の目的は、着物を包装したり包装を解いたりする過程で、着物の損傷がなく、包装作業が簡便で、かつ速く、包装状態が堅く維持される携帯が容易な着物包装用ローリング帯を提供することにある。
【００１１】
併せて、本発明の目的は、複数の包装されたローリング帯を同じ空間に収納する場合にも互いに纏わり付かないで収納管理が容易であり、ユーザが安全に使用することができる着物包装用ローリング帯を提供することにある。
【００１２】
また、本発明の目的は、ローリング帯を剥がす時、少ない力で使用可能であり、ローリング帯を剥がす時に発生する騷音が格段に少ない着物包装用ローリング帯を提供することにある。
【課題を解決するための手段】
【００１３】
本発明は着物１０と共にローリングして包装する着物包装用ローリング帯１００において、前記ローリング帯１００は非粘着性部材で形成され、前記ローリング帯１００の上面両端のうち、いずれかの一側端部に自己粘着性を有する第１粘着部材１１０が付着され、前記ローリング帯１００の下面両端のうち、前記第１粘着部材１１０の反対側端部に自己粘着性を有する第２粘着部材１２０が付着され、かつ前記ローリング帯１００の上面上部に着物１０を置いた状態で前記ローリング帯１００と共に着物１０を丸くローリングして前記第２粘着部材１２０と前記第１粘着部材１１０とを互いに粘着させて着物１０がくるくると巻かれた形態に固定維持するようにすることを特徴とする。
【００１４】
ここで、本発明の前記第２粘着部材１２０は前記第１粘着部材１１０より長さが長く形成されることを特徴とする。
【００１５】
一方、本発明は着物１０と共にローリングして包装する着物包装用ローリング帯１００において、前記ローリング帯１００は自己粘着性を有するビニールで形成され、前記ローリング帯１００の上面両端のうち、いずれかの一側端部に第１非粘着性部材１３０が付着され、前記ローリング帯１００の下面両端のうち、前記第１非粘着性部材１３０の反対側端部に第２非粘着性部材１４０が付着され、かつ前記第２非粘着性部材１４０と前記第１非粘着性部材１３０は前記ローリング帯１００で一部の面積を占めるように形成されて、前記ローリング帯１００の上面または下面上部に着物１０を置いた状態で前記ローリング帯１００と共に着物１０を丸くローリングして前記ローリング帯１００の両端を互いに粘着させて着物１０がくるくる巻かれた形態に固定維持するようにすることを特徴とする。
【００１６】
ここで、本発明の前記第１非粘着性部材１３０は前記第２非粘着性部材１４０より長さが長く形成されることを特徴とする。
【００１７】
一方、本発明の前記ローリング帯１００の両端のうち、いずれかの一側端部や両側端部には前記ローリング帯１００を掛けて保管できるようにする固定ホール１５０をさらに含むことを特徴とする。
【発明の効果】
【００１８】
本発明は、第１粘着部材１１０と第２粘着部材１２０が自己粘着性で接着剤無しでこれら同士は互いによく粘着するが、着物１０に粘着しないので、着物１０の損傷無しで包装作業を簡便で、かつ速くすることができ、包装された着物１０がくるくると巻かれた形態に固定維持されるので、着物１０の体積が圧縮され、皺及び乱れが防止されるだけでなく、携帯が容易になるとの効果がある。
【００１９】
また、第１粘着部材１１０と第２粘着部材１２０が自己粘着性で接着剤無しで粘着する方式で、なんども脱粘着しても接着力が低下されず、接着力が長期間維持されるので、半永久的に使用することができる効果がある。
【００２０】
併せて、本発明は複数の包装されたローリング帯１００を同じ空間に収納しても互いに纏わり付かないで収納管理が容易であり、ローリング帯１００を無理に剥がさなくてもよいので、ユーザが安全に使用することができる利点がある。
【００２１】
また、本発明は包装された着物１０を解く時、第１粘着部材１１０と第２粘着部材１２０を少ない力で剥がすことができ、第１粘着部材１１０と第２粘着部材１２０が剥がす時に発生する騷音が顕著に少ないという長所もある。
【図面の簡単な説明】
【００２２】
【図１】本発明の第１実施形態に係る着物包装用ローリング帯の斜視図である。
【図２】本発明の第１実施形態に係る着物包装用ローリング帯を着物１０と共にローリングする形態を示す斜視図である。
【図３】本発明の第１実施形態に係る着物包装用ローリング帯で着物１０をローリングして包装が完了した形態を示す斜視図である。
【図４】本発明の第２実施形態に係る着物包装用ローリング帯の斜視図である。
【発明を実施するための形態】
【００２３】
以下、本発明の好ましい実施形態を添付した図面を参照して当該分野の通常の知識を有する者が容易に実施することができるように説明する。
【００２４】
本発明を説明するに当たって、着物１０は衣類または手拭いのように布素材からなってローリング可能な物品などを含む意味であり、
【００２５】
非粘着性部材は非粘着性のビニールや不織布または布を含む意味として使われる。
＜実施形態１＞
【００２６】
図１は、本発明の実施形態に係る着物包装用ローリング帯の斜視図である。
【００２７】
図１に示すように、本発明の実施形態に係る着物包装用ローリング帯は、ローリング帯１００が非粘着性部材で形成され、ローリング帯１００の上面に第１粘着部材１１０が付着され、ローリング帯１００の下面に第２粘着部材１２０が付着され、かつローリング帯１００の上面上部に着物１０を置いた状態でローリング帯１００と共に着物１０を丸くローリングして第２粘着部材１２０と第１粘着部材１１０を互いに粘着させて着物１０がくるくると巻かれた形態に固定維持するようにする。
【００２８】
ローリング帯１００は幅が狭くて長く形成された非粘着性ビニールである。この際、非粘着性ビニールは不織布または布などに取り替えできる。
【００２９】
ローリング帯１００の上面一側端部には粘着性ビニールからなる第１粘着部材１１０が付着される。第１粘着部材１１０はローリング帯１００の上面で両側端部のうち、いずれかの一側端部に付着される。この際、第１粘着部材１１０はローリング帯１００に裁縫、接着剤、接着テープ、高周波接着、超音波接着などにより堅く付着される。
【００３０】
一方、第１粘着部材１１０は、図１に示すように、多数の部分に分けられてローリング帯１００の一部分を占めるように付着されることもでき、ローリング帯１００のある一部分の全面を占めるように付着されることもできる。
【００３１】
併せて、ローリング帯１００の下面一側端部には粘着性ビニールからなる第２粘着部材１２０が付着される。第２粘着部材１２０はローリング帯１００の下面で両側端部のうちのある一側端部に位置し、かつ第１粘着部材１１０と反対側に位置する。
【００３２】
例えば、第１粘着部材１１０がローリング帯１００の上面の前方側に付着されれば、第２粘着部材１２０はローリング帯１００の下面の後方側に付着される。
【００３３】
第２粘着部材１２０もローリング帯１００に裁縫、接着剤、接着テープ、高周波接着、超音波接着などにより堅く付着され、多数の部分に分けられてローリング帯１００の一部分を占めるように付着されるか、またはローリング帯１００のある一部分の全面を占めるように付着できる。この際、第１粘着部材１１０と第２粘着部材１２０とは互いに粘着された時、模様が対応するように形成される。
【００３４】
併せて、第２粘着部材１２０は第１粘着部材１１０の長さより長く形成される。これは、ローリング帯１００に着物１０を上げて置いて、着物１０と共に丸く巻く時、第２粘着部材１２０が着物１０の内部に巻き込まれても第２粘着部材１２０が一定部分外部に露出して、第１粘着部材１１０と円滑に粘着できるようにするためである。
【００３５】
一方、第１粘着部材１１０と第２粘着部材１２０は接着剤無しで互いに粘る性質を有する自己粘着性フィルムであって、市中で購買可能なＰＶＣ（ポリ塩化ビニル）、ＥＶＭ（エチレン−ビニルアセテートコポリマー）材質の接着剤無しで互いに粘着する性質を有する自己粘着性ビニール部材であり、一般的なビニール部材とは異なり、同一な素材同士は互いによく粘着するが、異なる材質とは粘着しない特性を有する。また、外部に粘性が露出せず、ユーザの手や皮膚が接触しても接着物がつかず、異なる材質のビニールシートと接触しても粘着されない特性がある。
【００３６】
即ち、第１粘着部材１１０と第２粘着部材１２０とは互いによく粘着するが、着物１０は第１粘着部材１１０または第２粘着部材１２０に粘着しない。これによって、ローリング帯１００で着物１０を包装するか、または包装を剥がす過程で着物１０の損傷が発生しない。
【００３７】
併せて、ローリング帯１００の両端のうち、いずれか一側端部には固定ホール１５０が貫通形成される。固定ホール１５０を通じてローリング帯１００を使用しない時、釘や環などに掛けて保管することができる。
【００３８】
以下、本発明の実施形態に係る着物包装用ローリング帯の作用を説明する。
【００３９】
図１は本発明の実施形態に係る着物包装用ローリング帯の斜視図、図２は本発明の第１実施形態に係る着物包装用ローリング帯を着物１０と共にローリングする形態を示す斜視図、図３は本発明の第１実施形態に係る着物包装用ローリング帯で着物１０をローリングして包装が完了した形態を示す斜視図である。
【００４０】
図１に示すように、まずローリング帯１００の上面上部に着物１０を置く。
【００４１】
以後、図２に示すように、ローリング帯１００で第２粘着部材１２０側を着物１０と共に第１粘着部材１１０に向けて丸く巻く（ローリング）。すると、ローリング帯１００の下面に位置していた第２粘着部材１２０は、ローリング帯１００が巻かれた状態で、上方に露出するようになる。そして、第２粘着部材１２０の長さが第１粘着部材１１０より長く形成されているので、着物１０と共に巻いても第２粘着部材１２０の一部のみ着物１０の内部に入り、残りの第２粘着部材１２０は一定部分が上方に露出する。
【００４２】
ローリング帯１００を続けて丸く巻けば、図３に示すように、着物１０は丸く巻かれてローリング帯１００の内部に位置し、ローリング帯１００の一側端部と第２粘着部材１２０とが重なるようになる。即ち、第１粘着部材１１０と第２粘着部材１２０とが重なるようになる。
【００４３】
ローリング帯１００が着物１０と共に巻かれる時にひっくり返りながら上方に露出した第２粘着部材１２０と、第１粘着部材１１０が互いに接触するようになり、ユーザが第１粘着部材１１０に力を加えて第１粘着部材１１０と第２粘着部材１２０を粘着させる。すると、ローリング帯１００により着物１０はくるくると巻かれた形態を堅く固定維持するようになる。着物１０のくるくると巻かれた形態が堅く固定維持されるので、携帯が容易である。
【００４４】
この際、前述したように、第１粘着部材１１０と第２粘着部材１２０はこれら同士のみ互いによく粘着し、異なる材質は粘着しない特性を有するので、包装過程で着物１０が粘着しないので、着物１０の損傷を防止してくれる。
【００４５】
そして、着物１０の損傷の虞がなく、別途の真空吸入器を使用しないので、着物１０の体積を簡便で、かつ速く圧縮することができる。
【００４６】
また、ローリング帯１００のローリングが終了した後には第１粘着部材１１０と第２粘着部材１２０がローリングされる着物の内側またはローリング帯１００の内側に位置し、第１粘着部材１１０と第２粘着部材１２０が外部にほとんど露出しないので、複数の包装された着物１０を同じ空間に収納する場合にも粘着部材同士互いに纏わり付かないで、ユーザが無理に剥がす必要がないため、傷つける危険無しで安全に使用可能である。
【００４７】
反対に、第１粘着部材１１０と第２粘着部材１２０を剥がせば、着物１０の包装を解くことができ、この際、少ない力で第１粘着部材１１０と第２粘着部材１２０を剥がすことができ、剥がす時に発生する騷音も格段に少ないという長所もある。
【００４８】
ひいては、ローリング帯１００を衣類販売売り場で着物１０を陳列する時、包装用に活用することができ、一般家庭に時季はずれの着物や手拭いなどを整理する時も活用することができる。
＜実施形態２＞
【００４９】
図４は、本発明の第２実施形態に係る着物包装用ローリング帯の斜視図である。
【００５０】
図４に示すように、本発明の第２実施形態に係る着物包装用ローリング帯１００は自己粘着性ビニールで形成され、ローリング帯１００の上面に第１粘着部材１１０の代わりに第１非粘着性部材１３０が付着され、ローリング帯１００の下面に第２粘着部材１２０の代わりに第２非粘着性部材１４０が付着される（図１参照）。ローリング帯１００の自己粘着性ビニールは、第１実施形態の第１粘着部材１１０と第２粘着部材１２０と同一な材質である。
【００５１】
本発明の第２実施形態は第１実施形態を含み、第１実施形態と同一な構成要素に対する詳細説明は省略し、第１実施形態と異なる部分に対して重点を置いて説明する。
【００５２】
第２実施形態は第１実施形態に比べてローリング帯１００の材質が非粘着性部材から自己粘着性ビニールに変更されたものであり、それによって、ローリング帯１００に第１非粘着性部材１３０と第２非粘着性部材１４０が各々粘着するという差がある。
【００５３】
ローリング帯１００は幅が狭くて長く形成された自己粘着性ビニールである。ローリング帯１００の上面と下面が全て自己粘着性ビニールで形成される。ローリング帯１００の上面一側端部には第１非粘着性部材１３０が付着される。第１非粘着性部材１３０はローリング帯１００の上面で両側端部のうちのいずれかの一側端部に位置する。この際、第１非粘着性部材１３０はローリング帯１００に裁縫、接着剤、接着テープ、高周波接着、超音波接着などにより堅く付着される。
【００５４】
一方、第１非粘着性部材１３０は、図４に示すように、多数の部分に分けられてローリング帯１００の一部分を占めるように付着されることができ、多数の部分に分けられること無しで、ローリング帯１００の一部分に付着できる。
【００５５】
併せて、ローリング帯１００の下面の一側端部には第２非粘着性部材１４０が付着される。第２非粘着性部材１４０は、ローリング帯１００の下面で両側端部のうちのいずれかの一側端部に位置し、かつ第１非粘着性部材１３０と反対側に位置する。
【００５６】
例えば、第１非粘着性部材１３０がローリング帯１００の上面の前方側に位置すれば、第２非粘着性部材１４０はローリング帯１００の下面の後方側に位置する。
【００５７】
第２非粘着性部材１４０もローリング帯１００に裁縫、接着剤、接着テープ、高周波接着、超音波接着などにより堅く付着され、多数の部分に分けられてローリング帯１００で一部分を占めるように付着されるか、または多数の部分に分けられること無しでローリング帯１００の一部分に付着できる。
【００５８】
併せて、第１非粘着性部材１３０と第２非粘着性部材１４０はローリング帯１００で巻いて着物１０を積み上げた時、ローリング帯１００の自己粘着性ビニールが隣接した他のローリング帯１００に付着された自己粘着性ビニールと粘着しないように形成される。
【００５９】
第２実施形態を通じて着物１０を包装する場合には、ローリング帯１００が非粘着性部材と二重で当接する反対側面に接着されている自己粘着性ビニールが露出しているので、着物１０と共に丸く巻いた時、より多い面積にローリング帯１００の両端に露出している自己粘着性ビニール同士粘着することによって、着物１０がくるくると巻かれた形態を堅く固定維持することができる。（図３参照、図３のような方式により着物１０と共にローリング帯１００を丸く巻く。）
【符号の説明】
【００６０】
１０    着物
１００    ローリング帯
１１０    第１粘着部材          １２０    第２粘着部材
１３０    第１非粘着性部材    １４０    第２非粘着性部材
１５０    固定ホール
【図１】
2017526588.tif 000003
【図２】
2017526588.tif 000004
【図３】
2017526588.tif 000005
【図４】
2017526588.tif 000006
【手続補正書】
【提出日】平成29年4月20日(2017.4.20)
【手続補正１】
【補正対象書類名】特許請求の範囲
【補正対象項目名】全文
【補正方法】変更
【補正の内容】
【特許請求の範囲】
【請求項１】
着物（１０）と共にローリングして包装する着物包装用ローリング帯（１００）において、
前記ローリング帯（１００）は非粘着性部材で形成され、
前記ローリング帯（１００）の上面両端のうちのいずれかの一側端部のみに自己粘着性を有する第１粘着部材（１１０）が付着され、
前記ローリング帯（１００）の下面両端のうち、前記第１粘着部材（１１０）の反対側端部のみに自己粘着性を有する第２粘着部材（１２０）が付着され、
前記第１粘着部材（１１０）及び前記第２粘着部材（１２０）とは互いに粘着し、前記着物（１０）及び非粘着部材と粘着せず、
前記ローリング帯（１００）の上面上部に前記着物（１０）を置いた状態で前記ローリング帯（１００）と共に前記着物（１０）を丸くローリングして前記第２粘着部材（１２０）と前記第１粘着部材（１１０）とを互いに粘着させて前記着物（１０）がくるくると巻かれた形態に固定維持するようにして、
前記着物（１０）のローリング時に前記ローリング帯（１００）の外面には非粘着性部材が位置することを特徴とする、 着物包装用ローリング帯（１００）。
【請求項２】
前記第２粘着部材（１２０）は、前記第１粘着部材（１１０）より長さが長く形成されることを特徴とする、請求項１に記載の着物包装用ローリング帯（１００）。
【請求項３】
着物（１０）と共にローリングして包装する着物包装用ローリング帯（１００）において、
前記ローリング帯（１００）は自己粘着性を有するビニールで形成され、
前記ローリング帯（１００）の上面両端のうちのいずれかの一側端部のみに第１非粘着性部材（１３０）が付着され、
前記ローリング帯（１００）の下面両端のうち、前記第１非粘着性部材（１３０）の反対側端部のみに第２非粘着性部材（１４０）が付着され、かつ
前記第１非粘着性部材（１３０）及び前記第２非粘着性部材（１４０）とは互いに粘着せず、また前記着物（１０）とも粘着せず、
前記第２非粘着性部材（１４０）と前記第１非粘着性部材（１３０）は前記ローリング帯（１００）で一部の面積を占めるように形成されて、
前記ローリング帯（１００）の上面または下面の上部に前記着物（１０）を置いた状態で前記ローリング帯（１００）と共に前記着物（１０）を丸くローリングして前記ローリング帯（１００）の両端を互いに付着させて前記着物（１０）がくるくると巻かれた形態に固定維持し、かつ前記着物（１０）のローリング時に前記ローリング帯（１００）の外面には非粘着性部材が位置することを特徴とする、着物包装用ローリング帯（１００）。
【請求項４】
前記第１非粘着性部材（１３０）は、前記第２非粘着性部材（１４０）より長さが長く形成されることを特徴とする、請求項３に記載の着物包装用ローリング帯（１００）。
【請求項５】
前記ローリング帯（１００）の両端のうちのいずれかの一側端部、または両側端部には、前記ローリング帯（１００）を掛けて保管できるようにする固定ホール（１５０）をさらに含むことを特徴とする、請求項１または３に記載の着物包装用ローリング帯（１００）。
【手続補正２】
【補正対象書類名】明細書
【補正対象項目名】００１３
【補正方法】変更
【補正の内容】
【００１３】
本発明は着物１０と共にローリングして包装する着物包装用ローリング帯１００において、前記ローリング帯１００は非粘着性部材で形成され、前記ローリング帯１００の上面両端のうちのいずれかの一側端部のみに自己粘着性を有する第１粘着部材１１０が付着され、前記ローリング帯１００の下面両端のうち、前記第１粘着部材１１０の反対側端部のみに自己粘着性を有する第２粘着部材１２０が付着され、前記第１粘着部材１１０及び前記第２粘着部材１２０とは互いに粘着され、前記着物１０及び非粘着部材と粘着されず、前記ローリング帯１００の上面上部に着物１０を置いた状態で前記ローリング帯１００と共に着物１０を丸くローリングして前記第２粘着部材１２０と前記第１粘着部材１１０とを互いに粘着させて着物１０がくるくると巻かれた形態に固定維持するようにして、前記着物１０をローリング時にローリング帯の外面には非粘着性部材が位置する。
【手続補正３】
【補正対象書類名】明細書
【補正対象項目名】００１５
【補正方法】変更
【補正の内容】
【００１５】
また、本発明は着物１０と共にローリングして包装する着物包装用ローリング帯１００において、前記ローリング帯１００は自己粘着性を有するビニールで形成され、前記ローリング帯１００の上面両端のうちのいずれかの一側端部のみに第１非粘着性部材１３０が付着され、前記ローリング帯１００の下面両端のうち、前記第１非粘着性部材１３０の反対側端部のみに第２非粘着性部材１４０が付着され、かつ前記第１非粘着性部材１３０及び前記第２非粘着性部材１４０と互いに粘着されず、また、前記着物とも粘着されず、前記第２非粘着性部材１４０と前記第１非粘着性部材１３０は前記ローリング帯１００で一部の面積を占めるように形成されて、前記ローリング帯１００の上面または下面の上部に着物１０を置いた状態で前記ローリング帯１００と共に着物１０を丸くローリングして前記ローリング帯１００の両端を互いに粘着させて着物１０がくるくると巻かれた形態に固定維持し、かつ前記着物１０をローリング時にローリング帯の外面には非粘着性部材が位置する。
【国際調査報告】
2017526588.tif 000007
2017526588.tif 000008
2017526588.tif 000009
2017526588.tif 000010